(57)【要約】【課題】  光軸のズレがないように光プリンタヘッドをプリンタ本体に固定。【解決手段】  光プリンタヘッド８には光プリンタ本体側取り付け用のベース部材である取付台との位置決め手段として２カ所のガイド穴を有する案内部１１ａが突設され、取付台との固定仲介手段である取付板９との着脱固定手段として２カ所の凸部１１ｂが形成されている。取付板９には光プリンタヘッド８の凸部１１ｂと係合するフック９ｃ並びに取付台４との接着固定手段として３カ所のネジ穴を有する取付部９ａが形成されている。光プリンタヘッド８と取付板９とは一方で凸部１１ｂ及びフック９ｃが係合し、他方で押さえ部材によって挟持され合体してヘッド組立体３を成している。ヘッド組立体３は案内部１１ａが取付台に植設されたガイドピンを有する案内部と係合することによって位置決めされながら、取付部９ａが取付台に植設されたボス状の取付部と接着固定される。【選択図】      図１
2006088608.tif 000002
【特許請求の範囲】
【請求項１】
露光ヘッドをプリンタ本体側取り付け用のベース部材に位置決め固定する光プリンタにおいて、前記露光ヘッドと前記ベース部材とに対する各固定手段を備えた固定仲介部材を設けるとともに、前記露光ヘッドと前記ベース部材とに位置決め手段を設け、前記露光ヘッドと前記ベース部材との位置決めを前記位置決め手段によって行い、かつ前記露光ヘッドと前記ベース部材との固定を前記固定仲介部材を介して行なうことを特徴とする光プリンタ。
【請求項２】
前記固定仲介部材に設けられた各固定手段のうち、前記露光ヘッドに対する固定手段が着脱固定手段である請求項１記載の光プリンタ。
【請求項３】
前記着脱固定手段がフック固定手段である請求項２記載の光プリンタ。
【請求項４】
前記着脱固定手段が前記露光ヘッドと前記固定仲介部材を挟持するバネ部材である請求項２記載の光プリンタ。
【請求項５】
前記固定仲介部材に設けられた各固定手段のうち、前記ベース部材に対する固定手段が接着固定手段である請求項１記載の光プリンタ。
【請求項６】
前記位置決め手段は、その一方が穴を有する係合部であり、他方が前記穴に係合するピンである請求項１記載の光プリンタ。
【発明の詳細な説明】
【技術分野】
【０００１】
本発明は、光源からの光をライン状の画素列を有する液晶シャッタ及びレンズアレイを介して感光体を露光して画像を形成する光プリンタヘッドを搭載した光プリンタに関する。
【背景技術】
【０００２】
従来、デジタルカメラなどで記憶媒体に取り込んだ画像データを手軽に画像にする光プリンタが知られている。このような光プリンタのヘッドには、光源並びにライン状の画素列と駆動回路とを含んだ液晶シャッタ（以下ＬＣＳと略称）と、ライン状のレンズアレイであるセルフォック（登録商標）レンズアレイ（以下ＳＬＡ（登録商標）と略称）とが一つのヘッドベースに組み込まれている。このような光プリンタヘッドをプリンタ本体のベース部材に固定したガイドロッドに搭載し、制御信号によって光源とＬＣＳとを駆動しながらＳＬＡを通して直下に配設した感光体上に沿って走査させるか、あるいは光プリンタヘッドをプリンタ本体のベース部材に直接固定して感光体の方を走査させる方式で、感光体を露光することによって画像を得ていた。
【０００３】
光プリンタヘッドには、画像ムラを無くすための重要な要素としてＬＣＳの画素列とＳＬＡとの中心位置を精度良く一致させた上でヘッドベースに固定することが求められている。また、光プリンタヘッドとこれを取り付けるプリンタ本体のベース部材との相互位置関係を精度良く確保することも求められている。これらの要求を満たすべく、ＬＣＳのガラス端面を調整ネジとバネとで挟むことによって位置調整を図った光プリンタヘッドが知られている（例えば、特許文献１参照。）。そして、光プリンタヘッドをプリンタ本体のベース部材に直接固定する方式においては、従来の光プリンタでは、光プリンタヘッドに取付部を設けておきベース部材に位置決めを兼ねてネジ止めにより固定していた。
【特許文献１】国際公開第０３／０７８１７０  Ａ１号明細書（第１３−１６頁、図２、図３）
【発明の開示】
【発明が解決しようとする課題】
【０００４】
しかし、従来の光プリンタヘッドをプリンタ本体のベース部材に直接位置決め固定する方式においては、ネジで強固に締め付けることによって光プリンタヘッドに局部的な応力がかかり、高精度に組み立てられた光プリンタヘッドに歪みを生じて、どうしてもＳＬＡの中心線とＬＣＳの画素列の中心線との位置ズレが許容範囲を超えてしまいがちであった。その結果、光軸のズレが生じて画像にムラができることが問題であった。また、歪みの発生を防ごうと、ネジ固定の代わりに接着固定方式をとると、ヘッドに故障が生じたときにヘッド交換が容易にできず、本体ごと不良にしてしまうという問題があった。
【０００５】
本発明の目的は、以上のような問題点を解決して、ＳＬＡとＬＣＳとの相対位置を高精度に維持して光軸のズレがないようにしながら光プリンタヘッドをプリンタ本体に固定することができる光プリンタを提供することである。
【課題を解決するための手段】
【０００６】
前述した目的を達成するための本発明の手段は、露光ヘッドをプリンタ本体側取り付け用のベース部材に位置決め固定する光プリンタにおいて、前記露光ヘッドと前記ベース部材とに対する各固定手段を備えた固定仲介部材を設けるとともに、前記露光ヘッドと前記ベース部材とに位置決め手段を設け、前記露光ヘッドと前記ベース部材との位置決めを前記位置決め手段によって行い、かつ前記露光ヘッドと前記ベース部材との固定を前記固定
仲介部材を介して行なうことを特徴とする。
【０００７】
また、前記固定仲介部材に設けられた各固定手段のうち、前記露光ヘッドに対する固定手段が着脱固定手段であることを特徴とする。
【０００８】
また、前記着脱固定手段がフック固定手段であることを特徴とする。
【０００９】
また、前記着脱固定手段が前記露光ヘッドと前記固定仲介部材を挟持するバネ部材であることを特徴とする。
【００１０】
また、前記固定仲介部材に設けられた各固定手段のうち、前記ベース部材に対する固定手段が接着固定手段であることを特徴とする。
【００１１】
また、前記位置決め手段は、その一方が穴を有する係合部であり、他方が前記穴に係合するピンであることを特徴とする。
【発明の効果】
【００１２】
本発明によれば、露光ヘッドをプリンタ本体側取り付け用のベース部材に位置決め固定する光プリンタにおいて、前記露光ヘッドと前記ベース部材とに対する各固定手段を備えた固定仲介部材を設けるとともに、前記露光ヘッドと前記ベース部材とに位置決め手段を設け、前記露光ヘッドと前記ベース部材との位置決めを前記位置決め手段によって行い、かつ前記露光ヘッドと前記ベース部材との固定を前記固定仲介部材を介して行なうので、光プリンタの組立に際して、光プリンタヘッドの歪みを生じることなくベース部材との相対位置を正確に保持しながら強固な固定ができるとともに、しかも、必要な場合には光プリンタヘッドをプリンタ本体に対して容易に脱着交換することができる。
【発明を実施するための最良の形態】
【００１３】
以下、本発明の最良の実施形態を図面に基づいて詳細に説明する。図１は本発明の実施の形態である光プリンタのヘッド組立体の下面側を示す分解斜視図、図２は図１に示した取付板の上面側を示す斜視図、図３はヘッド組立体のプリンタ本体への取付構造示す斜視図であり、図４は本発明の実施の形態である光プリンタの上蓋を取り除いて見た斜視図である。
【００１４】
まず、本発明の光プリンタの構成について図面を参照して詳細に説明する。図４において、１は光プリンタを示している。２は光プリンタ１の本体を示している。３は後述する光プリンタヘッド８と取付板９との組立体であるヘッド組立体を示しており、４はヘッド組立体３を光プリンタヘッド１の本体２に固定するための取付台であり、本体２側取り付け用のベース部材としての機能を有している。５は制御回路を搭載した基板を示している。６は光プリンタヘッド８と基板５とを接続しているＦＰＣを示している。７は取付台４の下側を移動する感光体としての印画紙を示している。
【００１５】
図３において、８はヘッド組立体３の主体である露光ヘッドとしての光プリンタヘッドを示しており、９は光プリンタヘッド８を取付台４へ取り付けるための固定仲介部材としての樹脂成形品である取付板を示している。１０は光プリンタヘッド８と取付板９を前面側（図３の手前）で上下から挟持している着脱固定手段としてのバネ部材である金属製の押さえバネを示している。取付台４上には取付板９との固定手段として３カ所のネジ穴付のボス状取付部４ａが植設され、また、光プリンタヘッド８と取付台４との位置決め手段として２カ所のガイドピンを有する案内部４ｂが植設されている。
【００１６】
図１、図２により、更にヘッド組立体３の詳細を説明する。図１において、１１は光プ
リンタヘッド８の基台としての樹脂成形品であるヘッドベースを示しており、１２はヘッドベース１１に合体して図示しないＬＣＳや光源を収納する樹脂成形品であるヘッドカバーを示している。１３はヘッドベース１１の収納部に固定されたＳＬＡを示している。ヘッドベース１１の前後側面にはそれぞれ１カ所づつガイド穴を有する係合部としての案内部１１ａが突設されており、光プリンタヘッド８と取付台４との位置決め手段として案内部４ｂと係合する。ヘッドベース１１の後側面１１ｄの２カ所には取付板９との着脱固定手段としてのフック固定手段である凸部１１ｂが形成されている。
【００１７】
図２にも示すように、取付板９の後側面９ｄに２カ所、前側面９ｅに１カ所のネジ穴を有する取付部９ａが突設されており、それぞれ取付台４の取付部４ａと対応する位置にあって取付台４との固定手段の一部を成している。また、取付板９の後側面９ｄには光プリンタヘッド８との着脱固定手段であるフック固定手段としてのフック９ｃが立設されており、光プリンタヘッド８の凸部１１ｂと着脱自在に係合する。また、図２に示すように、取付部９ａ近傍の取付板９上面には固定の際に取付部９ａにかかる応力による歪みを吸収させるための薄肉部９ｂが設けられている。
【００１８】
次に、光プリンタヘッド８をプリンタ本体２に取り付ける構造について説明する。まず、図１〜図３に示す如く光プリンタヘッド８に取付板９を固定してヘッド組立体３とするのだが、それには光プリンタヘッド８に設けた二つの凸部１１ｂに取付板９のフック９ｃを係合させる。更に、図３に示す如くヘッドカバー１２と取付板９とを押さえバネ１０によって挟持することにより両者を固定してヘッド組立体３とする。
【００１９】
次に、ヘッド組立体３をプリンタ本体２に固定するのだが、それにはまず、図４に示す如く取付台４の案内部４ｂに光プリンタ８の案内部１１ａを係合させることによって取付台４に光プリンタ８を正確に位置決めさせる。そして次に取付部９ａを取付部４ａ上にのせ、ネジ１５を締める。このとき、ネジ１５によって取付部９ａは取付台４ａ上に圧接固定されるので取付部９ａに応力が加わるが、取付部９ａ近傍の取付板９に薄肉部９ｂを設けてあるので、ネジ１５を締め付けた時は薄肉部９ｂが歪んでその応力を吸収し、取付板９全体としての歪みはさらに小さくなり、光プリンタヘッド８にはほとんど変形を与えないという効果がある。
【００２０】
なお、光プリンタヘッド８をプリンタ本体２へ固定する構造は上記構造に限定されるものではない。次に、光プリンタヘッド８をプリンタ本体２に取り付ける別の構造について説明する。図５はヘッド組立体の本体２への取付構造を示す要部側面図である。まず、図１〜図３に示す如く光プリンタヘッド８に取付板９を固定してヘッド組立体３とするのだが、それには光プリンタヘッド８に設けた二つの凸部１１ｂに取付板９のフック９ｃを係合させる。更に、図３に示す如くヘッドカバー１２と取付板９とを押さえバネ１０によって挟持することにより両者を固定してヘッド組立体３とする。
【００２１】
次に、ヘッド組立体３をプリンタ本体２に固定するのだが、それには、図５（イ）に示すように、まず取付台４の各々の取付部４ａ上に適量のエポキシ系又はシリコーン系などの接着剤１４を塗布する。そして図４に示す如く取付台４の案内部４ｂに光プリンタ８の案内部１１ａを係合させることによって取付台４に光プリンタ８を正確に位置決めさせる。そして図５（ロ）に示す如く、取付部９ａを取付部４ａ上にのせ、その後、取付部９ａ上に再度適量の接着剤１４を塗布する。次に図５（ハ）に示す如くネジ１５を締めるのだが、このときの締め方は図５（ニ）に示す如く一旦締め付けた後にネジ１５を少しゆるめて、ネジ頭が取付部９ａからわずかに隙間ｓを持つような位置で保持する。この状態で接着剤１４を硬化させる。なお、本発明は上記の図５（イ）、（ロ）に示す工程を必ずしも設けなくても良い。その場合には、取付部９ａを取付部４ａ上にのせてからすぐにネジ１５を締め、図５（ニ）の如くネジ頭が取付部９ａからわずかに隙間ｓを持つような位置で
保持する。そしてこの隙間ｓに接着剤１４を注入しても良い。
【００２２】
次に、光プリンタ１の動作について説明する。制御回路からの駆動信号によって光源とＬＣＳとを駆動しながら記録媒体からの画像情報を光プリンタヘッド８に送り出す。光プリンタヘッド８からはＳＬＡ１３を通して線状光を出射することにより、直下を走行する印画紙７を露光して画像を得る。
【００２３】
次に、本発明の実施の形態の効果について説明する。光プリンタヘッド８と取付台４との固定を取付板９を介して行っており、その方法は光プリンタヘッド８と取付板９とは凸部１１ｂとフック９ｃ並びに押さえバネ１０によって着脱自在に固定して一旦ヘッド組立体３とした上で、光プリンタヘッド８と取付台４との位置決め手段にはガイド穴を有する案内部１１ａとガイドピンを有する案内部４ｂを用いながら、取付板９と取付台４との固定を接着固定としたので、光プリンタヘッド８に歪みを生じさせることなく強固にプリンタ本体２に固定することができた。また、この方法により、光プリンタヘッド８の脱着交換も本体２に影響を与えることなく容易に行えるようになった。
【００２４】
また、取付部９ａを取付部４ａに接着する際には、ネジ１５を一旦締め付けてからゆるめているので、取付板９が取付台４に安定して位置決め固定される。しかも光プリンタヘッド８に歪みを生じさせないという特別の効果を有する。また、取付部９ａ近傍の取付板９に薄肉部９ｂを設けてあるので、取付部９ａの固定によってわずかに応力が生じても、薄肉部９ｂが歪んでその応力を吸収するので光プリンタヘッド８に変形を与えないという効果がある。
【００２５】
なお、本発明は必ずしも上記の実施の形態に限定されるものではない。例えば位置決め手段には、一方が凸部他方が凹部であって、これらを係合させることによる位置決め手段一般をも含んでいる。また、フック着脱手段には、一方が凸部他方が凹部あるいは穴部であって、これらを係合することによって接着によらず固定する着脱可能な固定方式一般をも含んでいる。また、接着固定のために必ずしもネジは必要ではなく接着の際に固定箇所を適当な部材で一旦押さえて離すことにしてもよい。
【産業上の利用可能性】
【００２６】
本発明の光プリンタの構成は、小型露光ヘッド一般に広く適用できるものである。
【図面の簡単な説明】
【００２７】
【図１】本発明の実施の形態である光プリンタのヘッド組立体の下面側を示す分解斜視図である。
【図２】図１に示した取付板の上面側を示す斜視図である。
【図３】ヘッド組立体のプリンタ本体への取付構造を示す斜視図及び要部側面図である。
【図４】本発明の実施の形態である光プリンタの上蓋を取り除いて見た斜視図である。
【図５】ヘッド組立体のプリンタ本体への取付方法示す要部側面図である。
【符号の説明】
【００２８】
１  光プリンタ
２  プリンタ本体
４  取付台
４ａ  取付部
４ｂ  案内部
８  光プリンタヘッド
９  取付板
９ａ  取付部
９ｃ  フック
１１ａ  案内部
１１ｂ  凸部
１０  押さえバネ
１４  接着剤
【図１】
2006088608.tif 000003
【図２】
2006088608.tif 000004
【図３】
2006088608.tif 000005
【図４】
2006088608.tif 000006
【図５】
2006088608.tif 000007